(57)【特許請求の範囲】
【請求項１】
照度センサの出力と第１の目標照度を比較することにより調光信号を生成し、この調光信号に応じた出力が得られるように調光制御されるランプを有してなる第１の出力系統と；
第２の目標照度により調光制御されるランプを有してなる第２の出力系統と；
第２の目標照度になるように第１の出力系統に発生する前記出力に基づいて前記第２の出力系統を制御する調光信号を生成する制御装置と；
を具備してなり、
前記照度センサは、前記第１の出力系統に接続されているランプの光が照射している範囲の明るさを検知しているが、前記第２の出力系統で調光されているランプの光が照射している範囲の明るさは検知できていないことを特徴とする照明装置。
【請求項２】
照度センサの出力と第１の目標照度を比較することにより調光信号を生成し、この調光信号に応じた出力が得られるように調光制御されるランプを有してなる第１の出力系統と；
第２の目標照度により調光制御されるランプを有してなる第２の出力系統と；
第２の目標照度になるように第１の出力系統に発生する前記出力に基づいて前記第２の出力系統を制御する調光信号を生成する制御装置と；
前記第１および第２の目標照度を更新する目標値設定手段と；
を具備してなり、
前記照度センサは、前記第１の出力系統に接続されているランプの光が照射している範囲の明るさを検知しているが、前記第２の出力系統で調光されているランプの光が照射している範囲の明るさは検知できていないことを特徴とする照明装置。
【請求項３】
第１の目標照度と第２の目標照度との比率は、一定であることを特徴とする請求項１記載の照明装置。
【発明の詳細な説明】
【０００１】
【発明の属する技術分野】
本発明は、調光制御することのできる照明器具を有する照明装置に関する。
【従来の技術】
従来、この種の照明制御装置は、特開平９−２３７６８２号公報等に記載されている。
【０００２】
図４は、従来の照明制御装置の構成図であり、図５は、同じく、従来の昼光量と昼光レベルの設定との関係を示す説明図である。
【０００３】
この照明制御装置によると、図４において、21は照明制御装置で、この照明制御装置21は、光センサ制御器22を有し、この光センサ制御器22の入力側に光センサ23が接続され、３つの出力系統側に３列の調光制御ブロック５の調光制御用照明器具3aの調光制御用ユニットがそれぞれ接続される。  光センサ23は、採光部２の近傍に設置され、採光部２から照明空間１に採光される昼光量を検知する。
光センサ制御器22は、昼光量入力インターフェース24を有し、この昼光量入力インターフェース24を通じて、光センサ23で検知される明るさレベルに応じたアナログ信号をデジタル信号に変換して出力する。昼光量入力インターフェース24には表示部25が接続され、この表示部25で検知された昼光量が表示される。
【０００４】
また、光センサ制御器22は、昼光レベル設定部26を有し、この昼光レベル設定部26により調光レベルを定める昼光レベルが入力設定される。すなわち、図５に示すように、時間の経過に伴って照明空間１に採光される昼光量が変化する場合に、その昼光量に対して調光を行なう上限昼光レベルＬ1と下限昼光レベルＬ2を設定する。上限昼光レベルＬ1以上の昼光量のときは調光レベルｘを０％または２５％あるいはその中間の値とし、下限昼光レベルＬ2以下の昼光量のときは調光レベルを１００％とする。上限昼光レベルＬ1と下限昼光レベルＬ2との間の昼光量の範囲では、昼光量に応じてｘ％〜１００％まで連続的に調光レベルが変化する。
【０００５】
したがって、昼光レベル設定部26により、上限昼光レベルＬ1と下限昼光レベルＬ2を入力設定する。なお、３つの出力系統に接続される各照明器具３についての調光レベルを定める昼光レベルの設定を行なう。  図１において、昼光量入力インターフェース24および昼光レベル設定部26には調光レベル演算部27が接続されており、この調光レベル演算部27は、昼光レベル設定部26による設定に基づいて、光センサ23で検知される昼光量に応じた調光レベルを演算する。
【０００６】
調光レベル演算部27には、調光信号変換部28および調光信号出力部としての出力バッファ29にて構成される出力系統が３系統接続されている。調光信号変換部28は、各出力系統別に調光レベル演算部27で求められた調光レベルに対応する調光信号（ＰＷＭ信号）を形成する。出力バッファ29は、調光信号変換部28で形成された調光信号を照明器具３の調光制御用点灯ユニットに出力する。
【０００７】
これにより、各調光制御用照明器具3aの調光制御用点灯ユニットでは、光センサ制御器22から入力される調光信号に基づく調光レベルでランプの点灯状態を調光することができ、採光部２からの距離が異なる各調光制御ブロック５毎に、調光制御用照明器具3aの調光状態が昼光量に応じて調光制御され、快適な照明環境が得られるとともに省電力が図れるというものである。
【０００８】
【発明が解決しようとする課題】
しかしながら、上述した従来技術の照明装置では、３つの出力系統に接続される各照明器具３についての調光レベルは、昼光レベルにより設定されているものであり、昼光量を基にして設定されるので、各出力系統毎に異なる照度を自ら設定することできないものである。
【０００９】
すなわち、この種の照明制御装置を施設内に設置するような場合、各照明出力系統の各照明領域毎に所定の照度を設定することができないので、その照明領域が要望する照度を適切に得ることはできないものである。
【００１０】
さらに、従来の光センサ制御器で22は、光センサ23、昼光量入力インターフェース24、光センサ23で検知される明るさレベルに応じたアナログ信号をデジタル信号に変換して出力する昼光量入力インターフェース24および昼光量入力インターフェース24に設けられる昼光量表示部25を有するものであり、この分、制御回路構成および製造コストなどが嵩むということも考えられる。
【００１１】
本発明は、照度センサで所定の領域の照度を検出することにより、異なる領域を照射する複数の出力系統の照明器具の調光制御を行なうことのできる照明装置を提供することを目的とする。
【００１２】
【課題を解決するための手段】
請求項１の発明は、照度センサの出力と第１の目標照度を比較することにより調光信号を生成し、この調光信号に応じた出力が得られるように調光制御されるランプを有してなる第１の出力系統と；第２の目標照度により調光制御されるランプを有してなる第２の出力系統と；第２の目標照度になるように第１の出力系統に発生する前記出力に基づいて前記第２の出力系統を制御する調光信号を生成する制御装置と；を具備してなり、前記照度センサは、前記第１の出力系統に接続されているランプの光が照射している範囲の明るさを検知しているが、前記第２の出力系統で調光されているランプの光が照射している範囲の明るさは検知できていないことを特徴とする。
【００１３】
本発明によると、照度センサで所定の領域の照度を検出することにより、異なる領域を照射する照明器具を有する出力系統の照明器具の調光制御を行なうことのできる。したがって、照明装置を施設内に設置するような場合、各出力系統の各領域毎に所定の照度である目標照度を設定することができ、その照明領域を要望する照度に適切にすることができる。
【００１４】
請求項２の発明は、照度センサの出力と第１の目標照度を比較することにより調光信号を生成し、この調光信号に応じた出力が得られるように調光制御されるランプを有してなる第１の出力系統と；第２の目標照度により調光制御されるランプを有してなる第２の出力系統と；第２の目標照度になるように第１の出力系統に発生する前記出力に基づいて前記第２の出力系統を制御する調光信号を生成する制御装置と；前記第１および第２の目標照度を更新する目標値設定手段と；を具備してなり、前記照度センサは、前記第１の出力系統に接続されているランプの光が照射している範囲の明るさを検知しているが、前記第２の出力系統で調光されているランプの光が照射している範囲の明るさは検知できていないことを特徴とする。
【００１５】
本発明によると、目標値設定手段は、前記第１および第２の目標照度を更新することができるので、請求項１の効果に加えて、各出力系統の目標値を自由に変更することができる。
【００１６】
請求項３の発明は、請求項１記載の照明装置において、第１の目標照度と第２の目標照度との比率は、一定であることを特徴とする。
【００１７】
本発明によると、第１の目標照度と第２の目標照度との比率を一定にしているので、請求項１の効果に加えて、簡単な演算により第２の目標照度に到達するようにな調光信号を生成することができる。
【００１８】
【発明の実施の形態】
以下、本発明の照明装置の一実施の形態を図面を参照して説明する。
【００１９】
図１は、本発明の一実施の形態を示す照明装置の構成図、図２は、同じく、照明空間に配設された照明装置の構成図、図３は、同じく、照明器具の出力と調光信号との関係を示す説明図である。
【００２０】
本実施の形態の照明装置は、第１の出力系統１、第２の目標照度により調光制御される第２の照明器具であるランプ２ｂを有してなる第２の出力系統２および調光信号を生成する制御装置３を含んで構成されている。
【００２１】
第１の出力系統１には、所定の領域の照度を検知する照度センサ１ａおよびこの照度センサ１ａの出力と第１の目標照度を比較することにより調光信号を生成し、この調光信号に応じた出力が得られるように調光制御される照明器具１ｂであるランプ１ｂを有して構成される。ここで、ランプは、蛍光ランプ、白熱電球および高圧放電ランプ等である。
【００２２】
また、照度センサ１ａ、照明器具１ｂ，２ｂおよび制御装置３は、施設内の天井側に配設されている。、
【００２３】
つぎに、第２の出力系統２には、第２の目標照度になるように第１の出力系統１に発生する前記出力に基づいて生成される調光信号により調光制御される第２の照明器具２ｂを有してなる。
【００２４】
なお、前記第１および第２の目標照度を更新する目標値設定手段を有していてもよく、この場合には、各出力系統１，２の目標値を自由に変更することができる。
【００２５】
次に、本実施の形態における調光制御について説明する。
【００２６】
照度センサ１ａは、周囲の明るさＥｐを検知し、現在の明るさがあらかじめ設定した目標照度より暗ければ、照明器具１ｂの光束が増大するような調光信号を出力し、逆に現在の明るさが目標照度より明るければ、照明器具１ｂの光束が減少するような調光信号を出力するようにフィードバック制御をしている。
【００２７】
なお、照度センサは、出力系統１に接続されているランプの光が照射している範囲の明るさを検知しているが、出力系統２で調光されているランプの光が照射している範囲の明るさは検知できていないものとする。
【００２８】
本実施の形態において、前記調光信号は、調光信号を一定周波数のパルス信号のＯＮ／ＯＦＦ比（以下Ｄｕｔｙ）で表すものとする。そして、このＤｕｔｙが０（ＯＮ時間が０）のとき照明器具１ｂは、出力を最高値１００とし、Ｄｕｔｙが８０（ＯＮ時間が周期の８０％）のとき調光信号を下限値Ｌｉｍとする（例えばＬｉｍ＝２５）。このような条件において、ランプ１ｂ出力ＯＵＴを下式により求めると、図３のようになる。
【００２９】
ＯＵＴ＝（Ｌｉｍ−１００）／８０×Ｄｕｔｙ＋１００    …  （式１）
【００３０】
この図において、出力系統１のランプ出力をＯＵＴ１とし、これに対応する調光信号Ｄｕｔｙ１とする。
【００３１】
本実施の形態では、出力系統２のランプ出力ＯＵＴ２を得るための調光信号Ｄｕｔｙ２は、前記ランプ出力ＯＵＴ１に基づいて設定されるものである。
【００３２】
まず、本実施の形態では、各出力系統毎に異なる照度を自ら設定することができるように、第１の出力系統１の第１の目標照度をＰ１、第２の出力系統の第２目標照度をＰ２とそれぞれ設定され、その比率をｋとする。
【００３３】
また、照度とランプ出力は、一般的にはほぼ比例関係にあるので、いま、求めようとする出力系統２のランプ出力ＯＵＴ２と出力系統１のランプ出力ＯＵＴ１の比率は、前記第２および第１の目標照度Ｐ１，Ｐ２の比率とほぼ同じになるものと考えられる。
【００３４】
そうすると、ｋ＝ＯＵＴ２／ＯＵＴ１＝Ｐ２／Ｐ1であり、このときの調光信号Ｄｕｔｙ２は、式１において、ＤｕｔｙにＤｕｔｙ２を、ＯＵＴにＯＵＴ２を、さらに、ＯＵＴ２にＯＵＴ１×Ｐ２／Ｐ１を代入することにより、
【００３５】
Ｄｕｔｙ２＝（１００−ＯＵＴ１×Ｐ２／Ｐ１）×８０／（１００−Ｌｉｍ）
で求めることができるものである。
【００３６】
したがって、複数の出力系統１，２を異なる領域を照射する照明器具１ｂ，２ｂに割当てるとともに、１つの照度センサ１ａを１つの領域の明るさを検出してこの明るさが第１の目標照度Ｐ１になるように調光信号Ｄｕｔｙ１を調整でき、さらに、第２の目標照度Ｐ２となるように、残りの領域を照射する照明器具２ｂを制御する調光信号Ｄｕｔｙ２を決定することができるものである。
【００３７】
【発明の効果】
請求項１の発明では、所定の領域の照度を検知する照度センサおよびこの照度センサの出力と第１の目標照度を比較することにより調光信号を生成し、この調光信号に応じた出力が得られるように調光制御される第１の照明器具を有してなる第１の出力系統と、第２の目標照度により調光制御される第２の照明器具を有してなる第２の出力系統と、第２の目標照度になるように第１の出力系統に発生する前記出力に基づいて調光信号を生成する制御装置とを具備しているので、照度センサで所定の領域の照度を検出することにより、異なる領域を照射する照明器具を有する出力系統の照明器具の調光制御を行なうことのできる。
【００３８】
したがって、照明装置を施設内に設置するような場合、各出力系統の各領域毎に所定の照度である目標照度を設定することができ、その照明領域を要望する照度に適切にすることができる。
【００３９】
請求項２の発明では、目標値設定手段は、前記第１および第２の目標照度を更新することができるので、請求項１の効果に加えて、各出力系統の目標値を自由に変更することができる。
【００４０】
請求項３の発明では、第１の目標照度と第２の目標照度との比率を一定にしているので、請求項１の効果に加えて、簡単な演算により第２の目標照度に到達するようにな調光信号を生成することができる。
【図面の簡単な説明】
【図１】本発明の一実施の形態を示す照明装置の構成図。
【図２】同じく、照明空間に配設された照明装置の構成図。
【図３】同じく、照明器具の出力と調光信号との関係を示す説明図。
【図４】従来の照明制御装置の構成図。
【図５】同じく、従来の昼光量と昼光レベルの設定との関係を示す説明図。
【符号の説明】
１…第１の出力系統
１ａ…照度センサ
１ｂ…第１の照明器具
２…第２の出力系統
２ｂ…第２の照明器具
３…制御装置
【図１】
0004075270.tif 000002
【図２】
0004075270.tif 000003
【図３】
0004075270.tif 000004
【図４】
0004075270.tif 000005
【図５】
0004075270.tif 000006